(57)【要約】【課題】演出体が重みによって傾くことを防止できる演出装置及び遊技機を提供する。【解決手段】演出体８０は、待機位置と演出位置との間で移動する。第一リンク部材１００と第二リンク部材１２０は平行クランク機構を構成し、前後方向に直交する平面における演出体８０の向きを維持したまま、演出体８０を移動可能に支持する。第三リンク部材１４０の基端部１４２は、装飾枠に直接又は間接的に締結されるねじ１４６を中心に回動可能である。先端部１４１から中央にかけて形成された長穴１４３には、演出体８０に締結されるねじ１４９が係合する。演出位置において、ねじ１４９は、長穴１４３において先端部１４１に最も近い部分に位置する。第三リンク部材１４０は、演出体８０の右端部を吊り下げ、演出体８０の傾きを防止する。【選択図】図８
2018089518.tif 000002
【特許請求の範囲】
【請求項１】
前面に遊技球が流下する遊技領域が形成された遊技盤と、前記遊技盤の裏側に設けられて各種図柄を可変表示する図柄表示装置と、前記遊技盤に設けられて前後に貫通する開口部を有し、前記開口部を介して前記図柄表示装置の表示部を露出する装飾枠とを備えた遊技機の前記装飾枠に設けられ、動作による演出を行う演出装置であって、
前記開口部の上方で前記装飾枠と前記遊技盤との間の待機位置と、前記待機位置の下方且つ前記開口部内で前記図柄表示装置の前面の演出位置との間を移動可能な演出体と、
前記演出体を前記待機位置と前記演出位置との間で移動させる駆動力を発生する駆動源と、
前記駆動源を保持する保持体と、
第一端部と第二端部との間で延び、前記第一端部が前記演出体の左右方向における一方の端部に回動可能に軸支され、前記第二端部が前記保持体に回動可能に軸支され且つ前記駆動源に接続され、前記駆動源の駆動によって前記第二端部を軸に回動する第一リンク部材と、
第三端部と第四端部との間で延び、前記第三端部が前記演出体の前記一方の端部で前記第一端部とは異なる位置にて回動可能に軸支され、前記第四端部が前記保持体に回動可能に軸支された第二リンク部材と、
第五端部と第六端部との間で延び、前記第五端部に、前記第六端部に対して接離可能な支点部を有し、前記支点部が前記演出体の前記一方の端部とは反対側の他方の端部に回動可能に軸支され、前記第六端部が前記装飾枠に直接又は間接的に回動可能に軸支された第三リンク部材と
を備え、
前記第一リンク部材と前記第二リンク部材は、平行クランク機構を構成し、
前記演出体が前記演出位置に位置する場合、前記第一端部と前記第三端部はそれぞれ前記第二端部と前記第四端部の側方に位置し、
前記装飾枠が前記第六端部を軸支する軸支位置は、前記演出体が前記待機位置に位置する場合における前記第五端部の側方の位置、且つ前記演出体が前記演出位置に位置する場合における前記第五端部の上方の位置であり、
前記第三リンク部材の前記支点部は、前記演出体が前記演出位置に位置する場合に、前記第六端部に対して接離可能な範囲において、前記第六端部から最大に離隔した位置に配置されること
を特徴とする演出装置。
【請求項２】
前記演出体が前記待機位置に位置する場合、前記第三リンク部材の前記支点部と、前記軸支位置と、前記第一リンク部材の前記第一端部が軸支される位置とは、左右方向に並ぶ位置に配置され、且つ前記支点部は、前記第六端部に対して接離可能な範囲において、前記第六端部から最大に離隔した位置に配置されることを特徴とする請求項１に記載の演出装置。
【請求項３】
前記演出体は、左右方向に長く延びる板状体であり、
前記演出体には、横書きの文字又は記号が示されることを特徴とする請求項１又は２に記載の演出装置。
【請求項４】
前面に遊技球が流下する遊技領域が形成された遊技盤と、
前記遊技盤の裏側に設けられて各種図柄を可変表示する図柄表示装置と、
前記遊技盤に設けられて前後に貫通する開口部を有し、前記開口部を介して前記図柄表示装置の表示部を露出する装飾枠と、
前記装飾枠に設けられた請求項１から３のいずれかに記載の演出装置と
を備えたことを特徴とする遊技機。
【発明の詳細な説明】
【技術分野】
【０００１】
本発明は、遊技状態に応じて演出体を図柄表示装置の前面に移動させ、演出を行う演出装置及び遊技機に関する。
【背景技術】
【０００２】
従来、パチンコ機に設け、遊技状態に応じて演出体を図柄表示装置の前面に移動させて演出を行う演出装置が知られている。例えば特許文献１に記載の演出ユニットは、一端が、モータを固定するサブベースに回動自在に接続され、他端が、第一演出体を支持するベース部材に回動自在に接続された伝達部材と、同様に、一端と他端がそれぞれサブベースとベース部材に回動自在に接続された支持部材を備える。演出が行われないとき、第一演出体は、遊技領域に重なる第一位置に移動され、演出が行われるとき、第一演出体は表示装置に重なる第二位置に移動される。
【先行技術文献】
【特許文献】
【０００３】
【特許文献１】特開２０１５−４７５０９号公報
【発明の概要】
【発明が解決しようとする課題】
【０００４】
しかしながら、第一演出体が第二位置に移動したとき、伝達部材と支持部材は、第一演出体のサブベースに近い側の端部を支える。第一演出体のサブベースから遠い側の端部は伝達部材と支持部材に支持されないため、第一演出体は自らの重みによって、サブベースから遠い側の端部が下側に下がり、傾く可能性があった。
【０００５】
本発明の目的は、演出体が重みによって傾くことを防止できる演出装置及び遊技機を提供することである。
【課題を解決するための手段】
【０００６】
本発明の第一態様によれば、前面に遊技球が流下する遊技領域が形成された遊技盤と、前記遊技盤の裏側に設けられて各種図柄を可変表示する図柄表示装置と、前記遊技盤に設けられて前後に貫通する開口部を有し、前記開口部を介して前記図柄表示装置の表示部を露出する装飾枠とを備えた遊技機の前記装飾枠に設けられ、動作による演出を行う演出装置であって、前記開口部の上方で前記装飾枠と前記遊技盤との間の待機位置と、前記待機位置の下方且つ前記開口部内で前記図柄表示装置の前面の演出位置との間を移動可能な演出体と、前記演出体を前記待機位置と前記演出位置との間で移動させる駆動力を発生する駆動源と、前記駆動源を保持する保持体と、第一端部と第二端部との間で延び、前記第一端部が前記演出体の左右方向における一方の端部に回動可能に軸支され、前記第二端部が前記保持体に回動可能に軸支され且つ前記駆動源に接続され、前記駆動源の駆動によって前記第二端部を軸に回動する第一リンク部材と、第三端部と第四端部との間で延び、前記第三端部が前記演出体の前記一方の端部で前記第一端部とは異なる位置にて回動可能に軸支され、前記第四端部が前記保持体に回動可能に軸支された第二リンク部材と、第五端部と第六端部との間で延び、前記第五端部に、前記第六端部に対して接離可能な支点部を有し、前記支点部が前記演出体の前記一方の端部とは反対側の他方の端部に回動可能に軸支され、前記第六端部が前記装飾枠に直接又は間接的に回動可能に軸支された第三リンク部材とを備え、前記第一リンク部材と前記第二リンク部材は、平行クランク機構を構成し、前記演出体が前記演出位置に位置する場合、前記第一端部と前記第三端部はそれぞれ前記第二端部と前記第四端部の側方に位置し、前記装飾枠が前記第六端部を軸支する軸支位置は、前記演出体が前記待機位置に位置する場合における前記第五端部の側方の位置、且つ前記演出体が前記演出位置に位置する場合における前記第五端部の上方の位置であり、前記第三リンク部材の前記支点部は、前記演出体が前記演出位置に位置する場合に、前記第六端部に対して接離可能な範囲において、前記第六端部から最大に離隔した位置に配置されることを特徴とする演出装置が提供される。
【０００７】
演出体が演出位置に位置する場合、演出体は、一方の端部が第一リンク部材と第二リンク部材に支持されるが、演出体の重みによって他方の端部の位置が下がり、傾く可能性がある。このとき、第三リンク部材は、軸支位置が演出体の上方に位置するので、演出体の他方の端部を吊り下げる状態となる。支点部は第六端部から最大に離隔しており、軸支位置と支点部との間はそれ以上離れない。故に第三リンク部材は、演出体が演出位置に位置する場合に、演出体の重みによる傾きを防止することができる。
【０００８】
第一態様において、前記演出体が前記待機位置に位置する場合、前記第三リンク部材の前記支点部と、前記軸支位置と、前記第一リンク部材の前記第一端部が軸支される位置とは、左右方向に並ぶ位置に配置され、且つ前記支点部は、前記第六端部に対して接離可能な範囲において、前記第六端部から最大に離隔した位置に配置されてもよい。演出体が待機位置に位置する場合、第三リンク部材の支点部と、軸支位置と、第一端部が軸支される位置とが横方向に並ぶ。即ち、演出体と第三リンク部材とが、左右方向に張った状態となる。支点部は第六端部から最大に離隔しており、軸支位置と支点部との間はそれ以上離れない。演出体が重みによって傾こうとしても、他方の端部が第三リンク部材によって真横に引っ張られる形態となる。故に第三リンク部材は、演出体の重みによる傾きを抑制することができる。
【０００９】
第一態様において、前記演出体は、左右方向に長く延びる板状体であってもよい。前記演出体には、横書きの文字又は記号が示されてもよい。演出体は左右方向に長い形状であるので、演出位置では、第一リンク部材と演出体が左右方向に長く延びることになり、第二端部の軸に大きなトルクがかかる。故に、演出位置において、演出体の他方の端部を第三リンク部材でつり下げる形態とすることで、他方の端部側が一方の端部側よりも下がり、演出体が傾いてしまうことを確実に防止できる。
【００１０】
本発明の第二態様によれば、前面に遊技球が流下する遊技領域が形成された遊技盤と、前記遊技盤の裏側に設けられて各種図柄を可変表示する図柄表示装置と、前記遊技盤に設けられて前後に貫通する開口部を有し、前記開口部を介して前記図柄表示装置の表示部を露出する装飾枠と、前記装飾枠に設けられた請求項１から３のいずれかに記載の演出装置とを備えたことを特徴とする遊技機が提供される。第一態様に係る演出装置を備えたことで、第二態様は、第一態様と同様の効果を得ることができる。
【図面の簡単な説明】
【００１１】
【図１】パチンコ機１の正面図である。
【図２】遊技盤２の正面図である。
【図３】演出体８０が待機位置に移動した状態の演出装置５０の正面図である。
【図４】演出装置５０の分解斜視図である。
【図５】第一リンク部材１００の分解斜視図である。
【図６】第二リンク部材１２０の分解斜視図である。
【図７】演出体８０の待機位置における各リンク部材の位置関係を示す演出装置５０の正面図である。
【図８】演出体８０の演出位置における各リンク部材の位置関係を示す演出装置５０の正面図である。
【図９】演出体８０が演出位置に移動した状態の演出装置５０の正面図である。
【発明を実施するための形態】
【００１２】
以下、本発明の一実施形態である演出装置５０及びパチンコ機１について、図面を参照して説明する。まず、演出装置５０を備えるパチンコ機１の機械的な構成について、図１、図２を参照して説明する。なお、以下の説明において、パチンコ機１の上下方向、左右方向、及び表裏方向については、特に断りがない場合、遊技盤２の盤面の向きを基準とする。即ち、ホールに設置されたパチンコ機１で遊技を行う遊技者からパチンコ機１を見た向き（即ち図１に図示されるパチンコ機１の向き）が基準となる。以下では便宜上、表裏方向を前後方向として、説明を行う。また、パチンコ機１に使用される装置や部品についても、パチンコ機１に組み付けられた場合の向きを基準に、上下方向、左右方向、及び前後方向を規定するものとする。
【００１３】
図１、図２に示すように、パチンコ機１の上段側には遊技盤２が設けられている。遊技盤２は略正方形であり、透明なガラス板を保持した前面枠１３によって前面を保護されている。遊技盤２の下段側には上皿５及び下皿６が設けられている。上皿５は遊技盤２の下部に設けられ、発射機（図示略）に遊技球を供給し、且つ賞品球を受ける。上皿５の上部中央には、遊技者によって操作される操作ボタン９が配設されている。下皿６は上皿５の直下に設けられ、上皿５から溢れたり排出されたりする賞品球を受ける。下皿６の右横には、遊技球の発射を調整する発射ハンドル７が設けられている。また、前面枠１３の上部で左右の角には、スピーカ４８が夫々設けられている。
【００１４】
遊技盤２の前面には、ガイドレール３で囲まれた略円形の遊技領域４が形成されている。発射機によって発射された遊技球は、遊技領域４内を流下する。遊技領域４の略中央には、ＬＣＤ（液晶ディスプレイ）等を用いて構成される図柄表示装置２８が設けられている。図柄表示装置２８は遊技盤２の背面側に配置され、遊技盤２の略中央に設けられた開口を介し、表示面２７をパチンコ機１の前面に露出する。表示面２７には動画、メッセージ等の様々な映像が表示され、特に、大当り判定の結果を報知するためのデモ図柄が表示される。パチンコ機１は、複数（本実施形態では３つ）のデモ図柄を変動させた後に、大当たり判定の結果を示すデモ図柄の組み合わせを確定表示させる報知演出を実行することで、大当たり判定の結果を遊技者に報知する。
【００１５】
遊技盤２の開口の縁部には装飾等が施され、図柄表示装置２８の外縁を取り囲む装飾枠１４が設けられている。図柄表示装置２８は、装飾枠１４の開口部１９を介し、表示面２７をパチンコ機１の前面に露出する。装飾枠１４には、装飾枠１４と共に各種演出を行う複数の演出装置が設けられている。演出装置は装飾枠１４内、あるいは装飾枠１４と図柄表示装置２８との間に配置される。演出装置は、遊技状態に応じ、その場で、あるいは図柄表示装置２８の前側にせり出して、ＬＥＤ等の発光体を発光させる等の演出を行う。そのうちの一つである演出装置５０は、装飾枠１４の背面側で、開口部１９の左側縁部から上側縁部にかけての部分に配置されている。詳細については後述するが、演出装置５０の演出体８０は、非演出時には正面から見て装飾枠１４の開口部１９の上側縁部に隠れた位置に配置される（図２参照）。演出体８０は、演出時には駆動モータ６３の駆動力によって開口部１９内に露出され、更にＬＥＤ等の発光体を発光させ、図柄表示装置２８及びスピーカ４８等と連動しながら様々な演出を行う。
【００１６】
図柄表示装置２８の左方には普通図柄始動ゲート１２が設けられている。普通図柄始動ゲート１２の下方には大入賞口１７が設けられている。図柄表示装置２８の下方には、第一特別図柄始動入賞口１５が設けられている。第一特別図柄始動入賞口１５の直下には第二特別図柄始動電動役物１６が設けられている。第二特別図柄始動電動役物１６は開閉部材を備える。遊技球は、開閉部材が開放された場合にのみ第二特別図柄始動電動役物１６に入賞することができる。第一特別図柄始動入賞口１５、第二特別図柄始動電動役物１６に遊技球が入賞すると、夫々所定数の遊技球が賞品球として払い出される。第二特別図柄始動電動役物１６の下側には、遊技領域４の中央下端部まで流下した遊技球を回収するアウト口１８が設けられる（図２参照）。
【００１７】
遊技領域４の右斜め下部には図柄表示部２４（図２参照）が設けられている。図柄表示部２４は、普通図柄表示部、第一特別図柄表示部、第二特別図柄表示部、普通図柄記憶数表示ＬＥＤ、第一特別図柄記憶数表示ＬＥＤ、及び第二特別図柄記憶数表示ＬＥＤを備える。
【００１８】
本実施形態では、第一特別図柄始動入賞口１５へ遊技球が入賞すると、第一大当り判定が行われ、判定の結果に応じて複数の特別図柄のうちの１つが図柄表示部２４の第一特別図柄表示部に表示される。その結果、大当たりであると判定されると、大入賞口１７が開放される大当たり遊技が実行される。大入賞口１７に入賞した遊技球の流路には、特定領域が形成されている。パチンコ機１では、大当たり遊技中に遊技球が大入賞口１７内の特定領域を通過することが、大当たり遊技終了後に確率変動状態を生起する条件となっている。なお、遊技盤２の背面側には、遊技の主制御、各種演出等を制御する制御部（図示略）が設けられている。
【００１９】
また、普通図柄始動ゲート１２を遊技球が通過すると普通当り判定が行われて、判定結果が図柄表示部２４の普通図柄表示部に表示される。その結果、普通当たりであると判定されると、第二特別図柄始動電動役物１６が開放される。第二特別図柄始動電動役物１６へ遊技球が入賞すると、第二大当り判定が行われ、判定結果は図柄表示部２４の第二特別図柄表示部に表示される。その結果、大当たりであると判定されると、上記同様に大当たり遊技が実行される。
【００２０】
普通図柄記憶数表示ＬＥＤは、普通図柄作動保留球数を４つまで表示する。普通図柄作動保留球数とは、普通図柄始動ゲート１２を通過し、且つ普通図柄表示部に普通当り判定の結果がまだ表示されていない遊技球の個数である。図柄表示部２４の第一特別図柄記憶数表示ＬＥＤは、第一特別図柄作動保留球数を４つまで表示する。第一特別図柄作動保留球数とは、第一特別図柄始動入賞口１５に入賞し、且つ第一大当り判定の結果がまだ表示されていない遊技球の個数である。第二特別図柄記憶数表示ＬＥＤは、第二特別図柄作動保留球数を４つまで表示する。第二特別図柄作動保留球数とは、第二特別図柄始動電動役物１６に入賞し、且つ第二大当り判定の結果がまだ表示されていない遊技球の個数である。
【００２１】
図示しないが、パチンコ機１の背面側には、各種基板を備えた制御部が設けられている。制御部の各基板は、ＣＰＵ、ＲＡＭ、ＲＯＭ等を備えており、パチンコ機１の各種動作を制御する。例えば、主基板は、普通当たり判定、大当たり判定等を行い、パチンコ機１の主制御を司る。中継基板は、主基板で行われた制御結果に基づいて、大入賞口１７を開閉するソレノイドを駆動する。また、演出基板のＣＰＵ（図示略）は、演出装置５０を作動する駆動モータ６３（図４参照）の駆動制御、演出装置５０が備える電飾用のＬＥＤ（図示略）等の発光制御等を行う。
【００２２】
次に、演出装置５０の構造について説明する。前述したように、本実施形態の演出装置５０は、装飾枠１４の開口部１９の左側縁部から上側縁部にかけての部分に設けられる。図３、図４に示すように、演出装置５０は、保持体６０、演出体８０、第一リンク部材１００、第二リンク部材１２０、及び第三リンク部材１４０を備える。保持体６０は、前後方向に厚みを有し、上下方向に延びる箱状体である。保持体６０は、前壁及び前側の側壁を構成し、上下方向に延びる前カバー６１と、後壁及び後側の側壁を構成し、上下方向に延びる後カバー６２を備える。前カバー６１と後カバー６２はねじ留めによって固定され、箱状体を形成する。保持体６０は、後カバー６２が装飾枠１４にねじ留めされることによって、パチンコ機１に組み付けられる。
【００２３】
保持体６０は、前カバー６１と後カバー６２の間に、駆動モータ６３、出力ギア６４、従動ギア６５、伝達ギア６６、及びフォトセンサ６７を収容する。駆動モータ６３は、保持体６０の上下方向の略中央に配置され、出力軸６８を後方に突出する。後カバー６２の上下方向略中央には、前方に台状に突出する棚板部６９が形成される。駆動モータ６３は、ねじ留めによって、棚板部６９の前面側に固定される。出力軸６８は、棚板部６９に形成された切欠部を介し、棚板部６９の後側に突出される。棚板部６９の後面側には出力ギア６４が配置され、出力軸６８に固定される。出力ギア６４の回転軸は、前後方向に配置される。
【００２４】
出力ギア６４の右斜め上方には、従動ギア６５が配置される。従動ギア６５は、ねじ留めによって、後カバー６２の前面に回転可能に固定される。従動ギア６５の回転軸は、前後方向に配置される。従動ギア６５の外径は、出力ギア６４の外径より小さい。従動ギア６５は出力ギア６４に噛合し、出力ギア６４に従動して回転する。
【００２５】
従動ギア６５の左斜め上方には、伝達ギア６６が配置される。伝達ギア６６は、ねじ留めによって、後カバー６２の前面に回転可能に固定される。伝達ギア６６の回転軸は、前後方向に配置される。伝達ギア６６は、例えば全周の約３／５の部分にのみギア歯が形成された欠歯ギアである。伝達ギア６６と従動ギア６５は、常時噛合する。伝達ギア６６の外径は、出力ギア６４の外径より大きい。伝達ギア６６は、従動ギア６５に噛合する。伝達ギア６６は、従動ギア６５を介し、出力ギア６４に従動して回転する。伝達ギア６６の外周部分で、正面視、ギア歯の形成範囲における反時計回り側の端部には、前方へ突出するピン状の駆動突起７０が設けられる。駆動突起７０は、ワッシャ７１を介し、第一リンク部材１００の従動穴１０３（図５参照）に係合する。
【００２６】
後カバー６２の前面で、出力ギア６４の左斜め上方、且つ伝達ギア６６の左斜め下方には、保持穴７２が形成されている。前カバー６１の後面で、前後方向において保持穴７２に対向する位置にも、保持穴７３形成されている。前カバー６１と後カバー６２の保持穴７２，７３は、前後方向に延びる円柱状の第一支持軸１０４の前端部と後端部を夫々保持する。第一支持軸１０４は、第一リンク部材１００を回動可能に支持する軸体である。同様に、後カバー６２の前面で、出力ギア６４の右斜め下方、且つ従動ギア６５の下方には、保持穴７４が形成されている。前カバー６１の後面で、前後方向において保持穴７４に対向する位置にも、保持穴７５形成されている。前カバー６１と後カバー６２の保持穴７４，７５は、前後方向に延びる円柱状の第二支持軸１２４の前端部と後端部を夫々保持する。第二支持軸１２４は、第二リンク部材１２０を回動可能に支持する軸体である。
【００２７】
保持体６０内で、第二支持軸１２４の下方の位置には、フォトセンサ６７が設けられる。フォトセンサ６７は、発光部と受光部からなる検知部を有する。フォトセンサ６７は、ねじ留めによって、後カバー６２の前面に固定される。フォトセンサ６７は、第二リンク部材１２０の遮蔽板１２８（後述）が検知部に配置された場合に、演出基板のＣＰＵに対して検出信号を出力する。演出基板のＣＰＵは、演出体８０を演出位置から待機位置に移動させる際に、フォトセンサ６７の検出結果に基づいて、演出体８０が待機位置に到達したことを検知する。図２の一点鎖線及び図９に示すように、演出位置は、演出体８０を保持体６０の右方に移動させ、装飾枠１４の開口部１９内に露出させる位置である。図２の点線及び図３に示すように、待機位置は、演出体８０を保持体６０の上方に移動させ、装飾枠１４の上側縁部よりも上方で装飾枠１４の背面側に配置させる位置である。
【００２８】
図３、図４に示すように、前カバー６１の前面には、ねじ留めによって、中継基板７６が取り付けられる。演出体８０及び駆動モータ６３は、中継基板７６を介し、演出基板（図示略）と電気的に接続する。中継基板７６の後面下部には、接続端子部７７が設けられる。後述するが、接続端子部７７には、演出体８０と中継基板７６とを接続する接続線１３５（図６参照）が接続される。中継基板７６の前面には、複数のＬＥＤが設けられている。演出基板のＣＰＵは、演出時に所定の発光パターンに従って中継基板７６のＬＥＤを発光する。中継基板７６のＬＥＤが発するＬＥＤ光は、装飾枠１４を介してパチンコ機１の前方に照射される。
【００２９】
第一リンク部材１００について説明する。図４、図５に示すように、第一リンク部材１００は、先端部１０１と基端部１０２との間で棒状に延びる。第一リンク部材１００は、前後方向において段状に形成され、先端部１０１が基端部１０２よりも前側に位置する。基端部１０２には、前後方向に開口し、第一支持軸１０４が挿通される支持穴１０９が形成される。第一支持軸１０４が支持穴１０９に挿通された状態で、第一支持軸１０４の前端部と後端部には、夫々、鍔付き円筒状のワッシャ１０５，１０６が配置される。ワッシャ１０５は、基端部１０２と前カバー６１の間、及び、第一支持軸１０４と支持穴１０９の間に介在する。ワッシャ１０６は、基端部１０２と後カバー６２の間、及び、第一支持軸１０４と支持穴１０９の間に介在する。第一リンク部材１００は、基端部１０２が、前カバー６１と後カバー６２の間でワッシャ１０５，１０６を介して第一支持軸１０４に支持されることによって、第一支持軸１０４を中心に、保持体６０に対して回動することができる。
【００３０】
第一リンク部材１００の先端部１０１には、前後方向に開口するねじ穴１１０が形成される。先端部１０１の前側にはワッシャ１０７が配置される。ねじ穴１１０とワッシャ１０７にはねじ１１１が挿通される。ねじ１１１は、演出体８０の後面に設けられた第一留め穴８１（図４参照）に締結される。ワッシャ１０７は、先端部１０１と演出体８０の間、及び、ねじ１１１とねじ穴１１０の間に介在する。第一リンク部材１００は、先端部１０１がワッシャ１０７を介してねじ１１１に支持されることによって、ねじ１１１を中心に、演出体８０に対して回動することができる。
【００３１】
以下の説明では、第一リンク部材１００の正面視において、基端部１０２における支持穴１０９の軸心位置と、先端部１０１におけるねじ穴１１０の軸心位置とを結ぶ方向を、第一延伸方向（図５参照）として定義する。第一延伸方向において、第一リンク部材１００の中央よりも基端部１０２側の部分には、前後方向に開口し、第一延伸方向に延びる長円状の従動穴１０３が形成されている。伝達ギア６６の駆動突起７０は、ワッシャ７１を介し、従動穴１０３に係合する。駆動モータ６３の駆動力によって伝達ギア６６が回転すると、駆動突起７０は円弧状の軌道に沿って移動する。駆動突起７０がワッシャ７１を介し、従動穴１０３の内周面を押圧することによって、第一リンク部材１００は、第一支持軸１０４を軸に先端部１０１側を揺動する。
【００３２】
第一リンク部材１００の先端部１０１には、引張ばね９０（後述）の一端が掛け留めされる掛留部１０８が設けられている。掛留部１０８は、先端部１０１において、第一リンク部材１００の正面視で、基端部１０２を軸に先端部１０１が揺動する場合の時計回り側の端部に設けられる。また、第一リンク部材１００は、先端部１０１側に、屈曲部１１３（図５参照）を有する。第一リンク部材１００は、屈曲部１１３において、第一リンク部材１００の正面視で、基端部１０２を軸に先端部１０１が揺動する場合の時計回り側へ向けて、第一延伸方向よりも張り出す状態に屈曲する。
【００３３】
次に、第二リンク部材１２０について説明する。図４、図６に示すように、第二リンク部材１２０は、先端部１２１と基端部１２２との間で屈曲する棒状に延びる。第二リンク部材１２０は、前後方向において段状に形成され、先端部１２１が基端部１２２よりも前側に位置する。基端部１２２には、前後方向に開口し、第二支持軸１２４が挿通される支持穴１２９が形成される。第二支持軸１２４が支持穴１２９に挿通された状態で、第二支持軸１２４の前端部と後端部には、夫々、鍔付き円筒状のワッシャ１２５，１２６が配置される。ワッシャ１２５は、基端部１２２と前カバー６１の間、及び、第二支持軸１２４と支持穴１２９の間に介在する。ワッシャ１２６は、基端部１２２と後カバー６２の間、及び、第二支持軸１２４と支持穴１２９の間に介在する。第二リンク部材１２０は、基端部１２２が、前カバー６１と後カバー６２の間でワッシャ１２５，１２６を介して第二支持軸１２４に支持されることによって、第二支持軸１２４を中心に、保持体６０に対して回動することができる。
【００３４】
第二リンク部材１２０の先端部１２１には、前後方向に開口するねじ穴１３０が形成される。先端部１２１の前側にはワッシャ１２７が配置される。ねじ穴１３０とワッシャ１２７にはねじ１３１が挿通される。ねじ１３１は、演出体８０の後面に設けられた第二留め穴８２（図４参照）に締結される。ワッシャ１２７は、先端部１２１と演出体８０の間、及び、ねじ１３１とねじ穴１３０の間に介在する。第二リンク部材１２０は、先端部１２１がワッシャ１２７を介してねじ１３１に支持されることによって、ねじ１３１を中心に、演出体８０に対して回動することができる。
【００３５】
以下の説明では、第二リンク部材１２０の正面視において、基端部１２２における支持穴１２９の軸心位置と、先端部１２１におけるねじ穴１３０の軸心位置とを結ぶ方向を、第二延伸方向（図６参照）として定義する。第二リンク部材１２０は、第二延伸方向の略中央に、屈曲部１２３を有する。第二リンク部材１２０は、屈曲部１２３において、第二リンク部材１２０の正面視で、基端部１２２を軸に先端部１２１が揺動する場合の反時計回り側へ向けて、第二延伸方向よりも張り出す状態に屈曲する。
【００３６】
第二リンク部材１２０の基端部１２２には、遮蔽板１２８が設けられる。遮蔽板１２８は、先端部１２１とは第二延伸方向の反対側へ向けて、基端部１２２から突出する。遮蔽板１２８は、前後方向に厚みを有する板状体である。遮蔽板１２８は、演出体８０が待機位置に移動した場合に、第二リンク部材１２０の回動に伴い、フォトセンサ６７の検知部に配置される。
【００３７】
演出装置５０の正面視において、第二リンク部材１２０の支持穴１２９の軸心位置と、ねじ穴１３０の軸心位置との間の長さＬ２は、第一リンク部材１００の支持穴１０９の軸心位置と、ねじ穴１１０の軸心位置との間の長さＬ１（図５参照）と、略同じ長さである。
【００３８】
第二リンク部材１２０は、先端部１２１と基端部１２２との間の部分に、後面側を開口する溝状に形成された溝路１３２を有する。溝路１３２の開口部分には、ねじ留めによって、蓋部１３３が取り付けられる。蓋部１３３は、溝路１３２を閉塞する。即ち、溝路１３２と蓋部１３３は、第二リンク部材１２０内に筒状の通路を形成する。溝路１３２と蓋部１３３とが形成する通路は、第二リンク部材１２０の先端部１２１と基端部１２２において、夫々外部に連通する。溝路１３２内には、演出体８０と中継基板７６とを電気的に接続する接続線１３５が配置される。第二リンク部材１２０の基端部１２２において溝路１３２から引き出される接続線１３５の端部には、コネクタ１３６が設けられる。コネクタ１３６は、保持体６０の中継基板７６の後面に設けられる接続端子部７７に係合する。第二リンク部材１２０の先端部１２１において溝路１３２から引き出される接続線１３５の端部には、コネクタ１３７が設けられる。コネクタ１３７は、演出体８０のＬＥＤ基板（図示略）の後面に設けられ、演出体８０の後面に露出される接続端子部８５に係合する。
【００３９】
第三リンク部材１４０について説明する。図４に示すように、第三リンク部材１４０は、先端部１４１と基端部１４２との間で前後方向を厚み方向とする板状に延びる。第三リンク部材１４０の基端部１４２は円板状に形成される。基端部１４２の中央には、前後方向に開口するねじ穴１４４が形成される。基端部１４２の後側には、ワッシャ１４５が配置される。ねじ穴１４４とワッシャ１４５には前側からねじ１４６が挿通される。ねじ１４６は、装飾枠１４に、直接又は間接的に締結される。ワッシャ１４５は、基端部１４２と装飾枠１４の間、及び、ねじ１４６とねじ穴１４４の間に介在する。第三リンク部材１４０は、基端部１４２がワッシャ１４５を介してねじ１４６に支持されることによって、ねじ１４６を中心に、装飾枠１４に対して回動することができる。
【００４０】
以下の説明では、第三リンク部材１４０の正面視において、先端部１４１における幅方向中央の位置と、基端部１４２のねじ穴１４４の軸心位置とを結ぶ方向を、第三延伸方向（図７参照）として定義する。第三リンク部材１４０は、第三延伸方向の略中央の位置から先端部１４１にかけて、前後方向に貫通し、第三延伸方向に延びる長穴１４３を有する。長穴１４３内には、鍔付き円筒状のワッシャ１４７，１４８が、夫々、第三リンク部材１４０の前側と後側から筒穴を合わせて配置される。ワッシャ１４７，１４８内には、第三リンク部材１４０の後側からねじ１４９が挿通される。ねじ１４９はワッシャ１４７，１４８を介して長穴１４３内を前後方向に貫通し、演出体８０の後面に設けられた第三留め穴８３に締結される。ワッシャ１４７，１４８は、先端部１４１と演出体８０の間、及び、ねじ１４９と長穴１４３の間に介在する。第三リンク部材１４０は、先端部１４１がワッシャ１４７，１４８を介してねじ１４９に支持されることによって、ねじ１４９を中心に、演出体８０に対して回動することができる。また、第三リンク部材１４０は、長穴１４３内でワッシャ１４７，１４８をスライドさせることによって、演出体８０に対し、第三延伸方向に移動することができる。
【００４１】
演出体８０について説明する。図３、図４に示すように、演出体８０は、左右方向に長く、前後方向を厚み方向とする箱状の板状体である。演出体８０は、透明な樹脂により形成され、前面に、凹凸状の装飾が施される。演出体８０の前面には、横書きの文字と記号が示される。本実施形態では、演出体８０の前面に、「でちゃった！」の文字と記号が凹凸状の装飾によって形成され、横書きに示される。
【００４２】
演出体８０の内部には、電飾基板（図示略）と拡散板（図示略）が設けられる。電飾基板は、前面に、複数のＬＥＤを実装し、背面に、接続端子部８５を実装する。電飾基板は、演出体８０の正面視形状に合わせた外形形状を有し、演出体８０内に収容される。接続端子部８５は、演出体８０の後面に露出される。接続端子部８５には、接続線１３５のコネクタ１３７（図６参照）が係合する。電飾基板は、中継基板７６を介して演出基板（図示略）に接続する。演出基板のＣＰＵは、演出時に所定の発光パターンに従って電飾基板のＬＥＤを発光する。拡散板は、電飾基板の形状と略同じ外形形状を有し、演出体８０内で電飾基板の前面側に配置される。拡散板は、電飾基板のＬＥＤが発するＬＥＤ光を、光の強度が略均一となるように拡散し、前方へ出射する。拡散板に拡散されたＬＥＤ光は、演出体８０の前面を介してパチンコ機１の前方に照射される。
【００４３】
図４、図７に示すように、演出体８０の後面には、第一留め穴８１、第二留め穴８２、第三留め穴８３、掛留部８４が設けられる。第一留め穴８１は、演出体８０後面の左端部に設けられる（図７参照）。第二留め穴８２は、第一留め穴８１の右方且つ下方の位置に設けられる。演出装置５０の正面視において、演出体８０における第一留め穴８１の位置と、第二留め穴８２の位置との位置関係は、保持体６０における保持穴７２，７３の位置と、保持穴７４，７５の位置との位置関係と、略同じである。即ち、演出装置５０の正面視において、第二留め穴８２は、第一留め穴８１の位置に対し、保持穴７２，７３の位置に対する保持穴７４，７５の位置の方向及び距離と、略同じ方向及び距離となる位置に設けられる。第一留め穴８１に締結されるねじ１１１は、第一リンク部材１００を先端部１０１において回動可能に支持する。保持穴７２，７３に保持される第一支持軸１０４は、第一リンク部材１００を基端部１０２において回動可能に支持する。第二留め穴８２に締結されるねじ１３１は、第二リンク部材１２０を先端部１２１において回動可能に支持する。保持穴７４，７５に保持され第二支持軸１２４は、第二リンク部材１２０を基端部１２２において回動可能に支持する。そして、前述したように、第一リンク部材１００の長さＬ１と、第二リンク部材１２０の長さＬ２は、略同じである。即ち、第一リンク部材１００と第二リンク部材１２０は、平行クランク機構を構成する。従って、演出体８０が演出位置と待機位置との間で移動するとき、第一リンク部材１００と第二リンク部材１２０は、第一延伸方向と第二延伸方向とを略平行に維持した状態で回動する。また、電飾基板の接続端子部８５は、第二留め穴８２の近傍において、演出体８０の後面に露出される。
【００４４】
第三留め穴８３は、演出体８０後面の右端部に設けられる。第三留め穴８３は、上下方向において、第一留め穴８１と第二留め穴８２の間で第一留め穴８１寄りの位置に設けられる。掛留部８４は、演出体８０後面の左右方向略中央に設けられる。掛留部８４は、上下方向において、第一留め穴８１よりも下側に設けられる。掛留部８４には、引張ばね９０の他端が掛け留められる。前述したように、引張ばね９０の一端は、第一リンク部材１００の先端部１０１に設けられた掛留部１０８に掛け留められる。後述するが、引張ばね９０は、正面視、第一リンク部材１００に対してねじ１１１を中心に演出体８０が時計回りに回動する向きに演出体８０を付勢する。
【００４５】
次に、演出装置５０の動作について、図３、図７〜図９を参照して説明する。非演出時、演出体８０は、装飾枠１４の後側に配置されている（図２参照）。図３、図７に示すように、第一リンク部材１００は、先端部１０１が基端部１０２の上方に位置する状態に配置される。第二リンク部材１２０も同様に、先端部１２１が基端部１２２の上方に位置する状態に配置される。第一リンク部材１００と第二リンク部材１２０とは、第一延伸方向と第二延伸方向とが平行な状態に維持される。演出体８０は、待機位置（図２参照）に配置される。第二リンク部材１２０の基端部１２２に設けられた遮蔽板１２８は、フォトセンサ６７の検知部に配置される。第三リンク部材１４０は、基端部１４２が装飾枠１４に締結されたねじ１４６に支持されて回動し、第三延伸方向を左右方向に向け、先端部１４１を基端部１４２の左方に配置する。
【００４６】
演出時、演出基板のＣＰＵは、駆動モータ６３を制御し、出力ギア６４を正面視で時計回りに回転させる。出力ギア６４の回転に伴い、従動ギア６５が正面視で反時計回りに回転して、伝達ギア６６を正面視時計回りに回転させる。演出体８０が待機位置にある場合、伝達ギア６６の駆動突起７０は、正面視で伝達ギア６６の回転軸の左斜め上方に位置する。伝達ギア６６が時計回りに回転すると、駆動突起７０は、ワッシャ７１を介し、第一リンク部材１００の従動穴１０３の内周面を右方向に押圧し、更に下方に押圧する。第一リンク部材１００は、駆動突起７０による押圧によって、第一支持軸１０４を中心に、正面視、先端部１０１側を時計回りに回動する。第一リンク部材１００と平行クランク機構を構成する第二リンク部材１２０は、第二支持軸１２４を中心に、正面視、先端部１２１側を時計回りに回動する。演出体８０は、第一リンク部材１００と第二リンク部材１２０が描く円弧状の軌道に沿って、待機位置から右斜め下方へ向けて移動する。平行クランク機構によって、演出体８０における第一留め穴８１の位置と、第二留め穴８２の位置との位置関係は、保持体６０における保持穴７２，７３の位置と、保持穴７４，７５の位置との位置関係と、略同じ状態に維持される。従って、演出体８０は、待機位置から演出位置に移動する過程において、前後方向に直交する平面における向きを待機位置における向きと同じ向きに維持した状態で移動することができる。よって、演出装置５０は、演出体８０の移動中に、演出体８０前面の文字の読みやすさを確保できる。
【００４７】
掛留部８４は、第一留め穴８１及び第二留め穴８２と同じく演出体８０の後面に設けられている。故に、掛留部８４の位置と第一留め穴８１の位置との位置関係は変わらない。演出体８０が待機位置から演出位置に移動する過程において、第一リンク部材１００は、第一留め穴８１に締結されるねじ１１１を中心に、演出体８０に対して時計回りに回動する。従って、第一リンク部材１００の先端部１０１に設けられた掛留部１０８は、ねじ１１１を中心に、演出体８０に対して時計回りに回動する。待機位置において、掛留部１０８は、第一留め穴８１の右斜め下方に位置する（図７参照）。演出体８０が待機位置から演出位置に移動する過程において、掛留部１０８は、第一留め穴８１の下側で左方へ向けて円弧状の軌道に沿って移動する。言い換えると、演出体８０が待機位置から演出位置に移動する過程において、掛留部１０８は、演出体８０の掛留部８４から離れる方向に移動する。演出位置において、掛留部１０８は、第一留め穴８１の左斜め下方に位置する（図８参照）。故に演出体８０が待機位置から演出位置に移動すると、第一リンク部材１００の掛留部１０８と、演出体８０の掛留部８４との間の距離は大きくなる。引張ばね９０は、掛留部８４，１０８間で引っ張られ、掛留部８４，１０８間が近づく方向に付勢力を付与する。演出体８０の掛留部８４は、正面視、第一リンク部材１００の先端部１０１における演出体８０の回動の支点であるねじ１１１よりも第一延伸方向の右側且つ基端部１０２側に位置する。よって引張ばね９０の付勢力は、演出体８０がねじ１１１を支点に時計回りに回転する向きに働く。しかし、第一リンク部材１００と平行クランク機構を構成する第二リンク部材１２０によって、演出体８０の回転は阻止される。故に引張ばね９０の付勢力は、演出体８０を演出位置から待機位置へ向かう方向に働く。その結果、演出体８０が、演出体８０にかかる重力によって待機位置から演出位置へ向かう方向に移動する勢いが緩和される。
【００４８】
演出体８０に締結されたねじ１４９と、第三リンク部材１４０の基端部１４２を支持するねじ１４６との間の距離は、演出体８０の位置に応じて変化する。ねじ１４９は、第三リンク部材１４０の先端部１４１側において、ワッシャ１４７，１４８を介して長穴１４３に係合する。よって、ねじ１４９は、長穴１４３に係合したまま、長穴１４３に沿ってねじ１４６との間の距離を変更することができる。この構成により、第三リンク部材１４０は、演出体８０の移動に伴い、基端部１４２のねじ１４６を支点に正面視、反時計回りに回動することができる。
【００４９】
接続線１３５は、第二リンク部材１２０の溝路１３２内に配線されている（図６参照）。従って、第二リンク部材１２０が回動しても、接続線１３５は、第二リンク部材１２０の回動を妨げない。また、第一リンク部材１００の基端部１０２の周囲には、駆動力を伝達する出力ギア６４、従動ギア６５、伝達ギア６６が設けられる。接続線１３５は、それらのギア等よりも接続端子部７７に近い側で第二リンク部材１２０の溝路１３２内に引き込まれる。よって、接続線１３５は、第二リンク部材１２０が回動しても、第一リンク部材１００やギア等に接触することがない。
【００５０】
第二リンク部材１２０の回動に伴い、遮蔽板１２８は、フォトセンサ６７の検知部から離れ、第二支持軸１２４を中心とする時計回りに左側へ移動する。演出基板のＣＰＵは、フォトセンサ６７が遮蔽板１２８を非検出となったときを基準に、駆動モータ６３のステップ数を設定する。よってＣＰＵは、演出位置もしくは演出位置に移動する途中の任意の位置に、演出体８０を移動させることができる。図８，図９に示すように、ＣＰＵは、演出体８０を移動させてから、あるいは移動させながら、演出装置５０による演出動作を行う。演出装置５０は、中継基板７６及び演出体８０の電飾基板（図示略）に設けた複数のＬＥＤを所定の発光パターンに従って発光させることによって、演出動作を行う。ＬＥＤ光は、装飾枠１４又は演出体８０の前面を介してパチンコ機１の前方に照射される。
【００５１】
演出体８０が演出位置に位置しても、平行クランク機構によって、演出体８０における第一留め穴８１の位置と、第二留め穴８２の位置との位置関係は、保持体６０における保持穴７２，７３の位置と、保持穴７４，７５の位置との位置関係と、略同じ状態に維持される。従って、演出体８０は、演出位置に移動しても、前後方向に直交する平面における向きを待機位置における向きと同じ向きに維持することができる。よって、演出装置５０は、演出体８０が演出位置に移動しても、演出体８０前面の文字の読みやすさを確保できる。
【００５２】
また、演出体８０が演出位置に位置する場合、第三リンク部材１４０は、第三延伸方向を上下方向に向け、先端部１４１を基端部１４２の下方に配置する。演出体８０に締結されたねじ１４９は、第三リンク部材１４０の長穴１４３において、先端部１４１に最も近い部分に位置する。即ち、長穴１４３の開口部分のうち、基端部１４２のねじ穴１４４（図４参照）から第三延伸方向に最も離れた開口部分は、演出体８０が演出位置に位置する場合のねじ１４９の位置と、基端部１４２を支持するねじ１４６が装飾枠１４に締結される位置との間の距離に合わせた位置に形成されている。従って、第三リンク部材１４０は、演出体８０の右端部を吊り下げる状態となる。故に、第三リンク部材１４０は、演出体８０が重みによって右端部を下側に傾くことを防止できる。
【００５３】
演出体８０が演出位置に移動しても、第一延伸方向と第二延伸方向は、略平行な状態を維持する。第二リンク部材１２０は、第二延伸方向に沿って真っ直ぐには伸びず、屈曲部１２３を有する。屈曲部１２３は、正面視で、第一リンク部材１００側に張り出して屈曲する。このため、第二リンク部材１２０は、先端部１２１と基端部１２２においては第一リンク部材１００から離れ、屈曲部１２３において、第一リンク部材１００に近接する。演出位置において、演出体８０は、保持体６０の右側に、保持体６０から離れて位置する。演出体８０を支える第一リンク部材１００と第二リンク部材１２０は、演出体８０と保持体６０との間で一部を露出する。屈曲部１２３は、演出体８０と保持体６０との間で露出された部分に含まれる。演出体８０と保持体６０との間で第一リンク部材１００と第二リンク部材１２０とが露出された部分は、装飾枠１４の開口部１９内で、図柄表示装置２８の前方に位置する。従って、演出体８０の演出位置において、屈曲部１２３が第一リンク部材１００に近づいて配置されることによって、第一リンク部材１００と第二リンク部材１２０は、図柄表示装置２８の表示面２７を遮る範囲を狭くすることができる。
【００５４】
更に、第一リンク部材１００も、第二リンク部材１２０同様に、正面視で、第二リンク部材１２０側に張り出す屈曲部１１３を有する。屈曲部１１３の形成位置は、演出体８０が演出位置に位置する場合に、演出体８０と保持体６０との間で第一リンク部材１００と第二リンク部材１２０とが露出された部分よりもやや先端部１０１側に位置する。且つ、屈曲部１１３の形成位置は、演出体８０が演出位置に位置する場合に、第二リンク部材１２０の屈曲部１２３とは干渉しない位置である。従って、演出体８０の演出位置において、屈曲部１２３が第一リンク部材１００に近づいて配置され、且つ、屈曲部１１３が第二リンク部材１２０に近づいて配置されることによって、第一リンク部材１００と第二リンク部材１２０は、図柄表示装置２８の表示面２７を遮る範囲を、更に狭くすることができる。
【００５５】
演出が終了すると、演出基板のＣＰＵは、駆動モータ６３を制御し、出力ギア６４を正面視、反時計回りに回転させる。従動ギア６５は、正面視、時計回りに回転し、伝達ギア６６は、正面視、反時計回りに回転する。演出体８０が演出位置にある場合、伝達ギア６６の駆動突起７０は、正面視で伝達ギア６６の回転軸の左斜め下方に位置する。伝達ギア６６が反時計回りに回転すると、駆動突起７０は、ワッシャ７１を介し、第一リンク部材１００の従動穴１０３の内周面を上方に押圧し、更に左方向に押圧する。第一リンク部材１００は、駆動突起７０による押圧によって、第一支持軸１０４を中心に、正面視、先端部１０１側を反時計回りに回動する。第二リンク部材１２０は、平行クランク機構によって、第二支持軸１２４を中心に、正面視、先端部１２１側を時計回りに回動する。演出体８０は、第一リンク部材１００と第二リンク部材１２０が描く円弧状の軌道に沿って、演出位置から左斜め上方へ向けて移動する。上記同様、演出体８０は、演出位置から待機位置に移動する過程において、前後方向に直交する平面における向きを演出位置における向きと同じ向きに維持した状態で移動する。
【００５６】
引張ばね９０は、演出位置において掛留部８４，１０８間で引っ張られた状態にあり、掛留部８４，１０８間が近づく方向に付勢力を付与する。従って前述したように、引張ばね９０の付勢力は、演出体８０を演出位置から待機位置へ向かう方向に働く。その結果、演出体８０にかかる重力は、引張ばね９０の発生するトルクによって軽減される。駆動モータ６３にかかる負荷が低減され、演出体８０は、スムーズに待機位置へ向けて移動する。
【００５７】
第三リンク部材１４０は、上記同様に、演出体８０のねじ１４９と、基端部１４２を支持するねじ１４６との間の距離を長穴１４３によって変更しつつ、ねじ１４６を支点に正面視、時計回りに回動する。接続線１３５は、第二リンク部材１２０が正面視、時計回りに回動しても、上記同様、第二リンク部材１２０の回動を妨げず、且つ第一リンク部材１００やギア等に接触することもない。
【００５８】
第二リンク部材１２０の回動に伴い、遮蔽板１２８は、第二支持軸１２４を中心とする反時計回りに右側へ移動する。演出体８０を演出位置から待機位置へ向けて移動する場合、駆動モータ６３は、演出体８０にかかる重力による負荷によって、脱調する可能性がある。故に、図７に示すように、演出基板のＣＰＵは、フォトセンサ６７の検知部が遮蔽板１２８を検出すると、遮蔽板１２８を検出したときを基準に、演出体８０を待機位置に配置させるための駆動モータ６３のステップ数を設定する。ＣＰＵが設定するステップ数によって第二リンク部材１２０を回動できる角度は、第二リンク部材１２０が、フォトセンサ６７が遮蔽板１２８を検出する位置から演出体８０が待機位置に移動するまでの角度より大きい。故にＣＰＵは、演出体８０の重さによって、たとえ駆動モータ６３に脱調が生じても、確実に、演出体８０を待機位置に移動させることができる。
【００５９】
演出体８０が待機位置に位置するとき、前述したように、第三リンク部材１４０は、第三延伸方向を左右方向に向け、先端部１４１を基端部１４２の左方に配置する。演出体８０に締結されたねじ１４９の演出位置における位置と、待機位置における位置とは、夫々、第三リンク部材１４０の基端部１４２を支持するねじ１４６の位置を中心とする円弧の軌道上に位置する。故に、待機位置において、演出体８０に締結されたねじ１４９は、演出位置における場合と同様に、第三リンク部材１４０の長穴１４３の部分のうち先端部１４１に最も近い部分に位置する。また、演出体８０が待機位置において、演出体８０に締結されたねじ１４９の位置と、基端部１４２を支持するねじ１４６の位置とは、第一リンク部材１００の先端部１０１がねじ１１１によって演出体８０に軸支される位置と、左右方向に並ぶ。つまり、演出体８０と第三リンク部材１４０とは、左右方向に張った状態となる。言い換えると、演出体８０は、ねじ１１１に係合する第一リンク部材１００の先端部１０１によって左端部が位置決められ、右端部が、第三リンク部材１４０によって真横に引っ張られる形態となる。よって、演出体８０は、待機位置において、演出体８０の重みによって傾くことなく、前後方向に直交する平面における向きが維持される。演出体８０は、待機位置において、その重みによって傾くことがないので、装飾枠１４の下側縁部から露出しない。
【００６０】
そして、演出体８０は、引張ばね９０によって、演出位置から待機位置へ向かう方向に付勢された状態に維持される。また、演出体８０の待機位置において、第一延伸方向及び第二延伸方向は、演出位置よりも上下方向に近い角度に向けられる。故に、待機位置において演出体８０にかかる回転モーメントは、演出位置において演出体８０にかかる回転モーメントよりも小さい。よって駆動モータ６３は、静止トルクによって、容易に、演出体８０を待機位置に配置した状態を維持することができる。
【００６１】
以上説明したように、本発明に係る演出装置５０の演出体８０が演出位置に位置する場合、演出体８０は、第一リンク部材１００と第二リンク部材１２０に左端部を支持される。演出体８０は、演出体８０の重みによって右端部の位置が下がり、傾く可能性がある。このとき、第三リンク部材１４０は、軸支位置（基端部１４２を支持するねじ１４６の位置）が演出体８０の上方に位置するので、演出体８０の右端部を吊り下げる状態となる。支点部（演出体８０に締結されるねじ１４９が長穴１４３内で係合する部分）は基端部１４２から最大に離隔しており、軸支位置と支点部との間はそれ以上離れない。故に第三リンク部材１４０は、演出体８０が演出位置に位置する場合に、演出体８０の重みによる傾きを防止することができる。
【００６２】
演出体８０が待機位置に位置する場合、支点部と、軸支位置と、演出体８０に第一リンク部材１００の先端部１０１がねじ１１１によって軸支される位置とが横方向に並ぶ。即ち、演出体８０と第三リンク部材１４０とが、左右方向に張った状態となる。演出体８０に締結されるねじ１４９が長穴１４３内で係合する部分は基端部１４２から最大に離隔しており、軸支位置と演出体８０に締結されるねじ１４９が長穴１４３内で係合する部分との間はそれ以上離れない。演出体８０が重みによって傾こうとしても、他方の端部が第三リンク部材１４０によって真横に引っ張られる形態となるので、演出体８０の向きが維持される。故に第三リンク部材１４０は、演出体８０が待機位置に位置する場合においても、演出体８０の重みによる傾きを抑制することができる。
【００６３】
演出体８０は左右方向に長い形状である。演出位置において、第一リンク部材１００と演出体８０は、左右方向に長く延びることになり、基端部１０２の軸に大きなトルクがかかる。故に、演出位置において、演出体８０の右端部を第三リンク部材１４０でつり下げる形態とすることで、他方の端部側が一方の端部側よりも下がり、演出体８０が傾いてしまうことを確実に防止できる。
【００６４】
本発明は、以上詳述した実施の形態に限定されるものではなく、本発明の要旨を逸脱しない範囲内において種々の変更が可能であることは言うまでもない。例えば、伝達ギア６６は欠歯ギアに限らず、全周にギア歯が設けられたギアであってもよい。また、従動ギア６５がなく、出力ギア６４に伝達ギア６６が噛合する構成であってもよい。あるいは、出力ギア６４の動力が２つ以上のギアを介して伝達ギア６６に伝達される構成であってもよい。
【００６５】
演出装置５０は、演出体８０が保持体６０に対して時計回りに回動して待機位置から演出位置に移動する向きに演出体８０を設けたが、反時計回りに回動する向きに設けてもよい。この場合、パチンコ機１は、図柄表示装置２８の右側縁部から上側縁部にかけての部分に演出装置５０を設けてもよい。
【００６６】
第一リンク部材１００は屈曲部１１３を有し、第二リンク部材１２０は屈曲部１２３を有するが、屈曲部１１３，１２３はなくてもよい。又は、一方のリンク部材のみが屈曲部を有する構成であってもよい。例えば、第一リンク部材１００の屈曲部１１３はなくてもよい。この場合、第一リンク部材１００は、第一延伸方向に沿って真っ直ぐ延びてもよい。
【００６７】
引張ばね９０は、第一リンク部材１００と演出体８０の間に付勢力を付与したが、引張ばね９０に限らない。例えば、ねじ１１１の周囲に巻きばねを設け、巻きばねが、第一リンク部材１００に対して演出体８０が時計回りに回動する向きに付勢力を付与してもよい。
【００６８】
演出体８０の待機位置において、ねじ１４９の位置と、ねじ１４６の位置と、ねじ１１１の位置とは、左右方向において必ずしも一直線上に並ばなくてもよい。
【００６９】
第三リンク部材１４０の基端部１４２を支持するねじ１４６は、装飾枠１４に、直接締結されてもよい。あるいは、ねじ１４６は、例えば、装飾枠１４に固定される他の演出装置に締結され、間接的に、装飾枠１４に締結されてもよい。
【００７０】
特許請求の範囲、明細書及び図面に記載される全ての要素（例えば、表示装置、普通電動役物、図柄作動口等）は、個数を意識的に限定する明確な記載がない限り、物理的に単一であっても複数であっても構わないし、適宜配置の変更が行われても構わない。また、各要素につけられた名称（要素名）は、単に本件の記載のために便宜上付与したにすぎないものであり、それによって特別な意味が生じることを特に意識したものではない。従って、要素名のみによって要素が何であるかが限定解釈されるものではない。例えば、「表示装置」は、ハード単体でも、ソフトを含んだものであっても構わない。更には、上記全ての要素のうちの複数の要素を適宜一体的に構成するか、もしくはひとつの要素を複数の要素に分けて構成するかは、特許請求の範囲等において特定していない限り、何れも当業者であれば極めて容易に考えられる事項であるため、あえて明細書等において全パターンを記載しなくても何れのパターンも想定範囲内であることは明らかであることから、本発明に係る権利範囲に含まれることは勿論である。従って、その程度の範囲内での構成上の差異を有する遊技機を、本実施形態に記載がなされていないことを理由に採用することのみでは、本発明に係る権利を回避したことにはならない。その他、各要素の構成や形状等における、本実施形態から当業者であれば容易に考えられる自明な範囲の差異についても同様である。
【００７１】
なお、本発明においては、パチンコ機１が「遊技機」に相当する。駆動モータ６３が「駆動源」に相当する。先端部１０１が「第一端部」に相当する。基端部１０２が「第二端部」に相当する。先端部１２１が「第三端部」に相当する。基端部１２２が「第四端部」に相当する。先端部１４１が「第五端部」に相当する。基端部１４２が「第六端部」に相当する。
【符号の説明】
【００７２】
１                          パチンコ機
２                          遊技盤
４                          遊技領域
１４                        装飾枠
１９                        開口部
２８                        図柄表示装置
５０                        演出装置
６０                        保持体
６３                        駆動モータ
８０                        演出体
１００                      第一リンク部材
１０１                      先端部
１０２                      基端部
１２０                      第二リンク部材
１２１                      先端部
１２２                      基端部
１４０                      第三リンク部材
１４１                      先端部
１４２                      基端部
【図１】
2018089518.tif 000003
【図２】
2018089518.tif 000004
【図３】
2018089518.tif 000005
【図４】
2018089518.tif 000006
【図５】
2018089518.tif 000007
【図６】
2018089518.tif 000008
【図７】
2018089518.tif 000009
【図８】
2018089518.tif 000010
【図９】
2018089518.tif 000011